(57)【要約】  【課題】  セルフタイマー撮影モードを設定して撮影を行った場合、撮影者がシャッターレリーズ操作を行い、被写体として撮影フレーム内の所望の位置に入る前に撮影が行われてしまうことがある。  【解決手段】  撮影者が被写体として入り込むシャッターレリーズエリアを入力できる電子ビューファインダを備え、撮像素子のフレーム内を移動する動きベクトルと、シャッターレリーズエリア内の人物を検出することにより、撮影者が被写体として所望に位置に入り込んだことを判断する。【選択図】  図１
2012124771.tif 000002
【特許請求の範囲】
【請求項１】
シャッターレリーズ操作後に所定の遅延処理を行い、この遅延処理の後に、撮像素子から得られた撮像信号に基づいて被写体の画像データを記録するセルフタイマー撮影モードを有するデジタルカメラにおいて、
撮像素子からの撮像信号に基づいて被写体のスルー画像を表示し、撮影者が被写体として入り込む予定のエリアであるシャッターレリーズエリアを設定できる電子ビューファインダと、
撮像素子から得られる撮像信号を監視し、動きベクトルを検出する動きベクトル検出手段と、
シャッターレリーズ操作を検出してから所定の時間経過後に、前記動きベクトル検出手段により検出された動きベクトルが、本デジタルカメラの画角外から画角内の前記シャッターレリーズエリアに向かうベクトルを被写体と判断する被写体判別手段と、
前記被写体判別手段で前記シャッターレリーズエリアに被写体が入ったこをを検出後、撮像素子の前記シャッターレリーズエリアから得られる撮像信号を監視して人物を検知し、起動信号を出力する撮影者検出手段とを備え、
前記撮影者検出手段で撮影者が前記シャッターレリーズエリアに入ったことを検出して撮影を行うことを特徴とするデジタルカメラ。
【請求項２】
前記被写体判別手段は、シャッターレリーズ操作を検出してから所定の時間内に、前記動きベクトル検出手段により検出された動きベクトルは被写体ではないと判断することを特徴とする請求項１に記載のデジタルカメラ。
【請求項３】
前記撮影者検出手段は、シャッターレリーズ操作を検出してから所定の時間内に前記シャッターレリーズエリア内に人物を検出しても前記起動信号を出力しないことを特徴とする請求項１又は請求項２に記載のデジタルカメラ。
【請求項４】
前記被写体判別手段で前記シャッターレリーズエリアに被写体が入ったこをを検出後、前記撮影者検出手段が、所定の時間内に前記シャッターレリーズエリア内に人物を検出できなかった場合、前記シャッターレリーズエリアを拡大することを特徴とする請求項１乃至請求項３の何れか１項に記載のデジタルカメラ。
【請求項５】
前記シャッターレリーズエリアは、前記動きベクトル検出手段が検出した、本デジタルカメラの画角外から画角内の前記シャッターレリーズエリアに向かうベクトルであって、前記シャッターレリーズエリアから所定の範囲内で前記シャッターレリーズエリアから外れた位置で停止したベクトル位置を含む範囲まで拡大し、前記撮影者検出手段は、前記シャッターレリーズエリア内に人物を検知した際に前記起動信号を出力することを特徴とする請求項４に記載のデジタルカメラ。
【請求項６】
シャッターレリーズ操作後に所定の遅延処理を行い、この遅延処理の後に、撮像素子から得られた撮像信号に基づいて被写体の画像データを記録するセルフタイマー撮影モードを有するデジタルカメラにおいて、
撮像素子からの撮像信号に基づいて被写体のスルー画像を表示し、撮影者が被写体として入り込む予定のエリアであるシャッターレリーズエリアと、本デジタルカメラの画角外から画角内の前記シャッターレリーズエリアまでの撮影者の移動経路である予定移動エリアを入力できる電子ビューファインダと、
前記シャッターレリーズエリアと前記撮影者の予定移動エリアの撮像素子から得られる撮像信号を監視し、動きベクトルを検出する動きベクトル検出手段と、
シャッターレリーズ操作を検出してから所定の時間経過後に、前記動きベクトル検出手段により検出された動きベクトルが、前記予定移動エリアを移動して本デジタルカメラの画角外から画角内の前記シャッターレリーズエリアに向かうベクトルを被写体と判断する被写体判別手段と、
前記被写体判別手段で前記シャッターレリーズエリアに被写体が入ったこをを検出後、撮像素子の前記シャッターレリーズエリアから得られる撮像信号を監視して人物を検知し、起動信号を出力する撮影者検出手段とを備え、
前記撮影者検出手段で撮影者が前記シャッターレリーズエリアに入ったことを検出して撮影を行うことを特徴とするデジタルカメラ。
【請求項７】
前記被写体判別手段は、シャッターレリーズ操作を検出してから所定の時間内に、前記動きベクトル検出手段により検出された動きベクトルは被写体ではないと判断することを特徴とする請求項６に記載のデジタルカメラ。
【請求項８】
前記撮影者検出手段は、シャッターレリーズ操作を検出してから所定の時間内に前記シャッターレリーズエリア内に人物を検出しても前記起動信号を出力しないことを特徴とする請求項６又は請求項７に記載のデジタルカメラ。
【請求項９】
前記被写体判別手段で前記シャッターレリーズエリアに被写体が入ったこをを検出後、前記撮影者検出手段が、所定の時間内に前記シャッターレリーズエリア内に人物を検出できなかった場合、前記シャッターレリーズエリアを拡大することを特徴とする請求項６乃至請求項８の何れか１項に記載のデジタルカメラ。
【請求項１０】
前記シャッターレリーズエリアは、前記動きベクトル検出手段が検出した、前記予定移動エリアを本デジタルカメラの画角外から画角内の前記シャッターレリーズエリアに向かうベクトルであって、前記シャッターレリーズエリアから所定の範囲内で前記シャッターレリーズエリアから外れた位置で停止したベクトル位置を含む範囲まで拡大し、前記撮影者検出手段は、前記シャッターレリーズエリア内に人物を検知した際に前記起動信号を出力することを特徴とする請求項９に記載のデジタルカメラ。
【発明の詳細な説明】
【技術分野】
【０００１】
本発明は、シャッターレリーズ操作から一定時間の経過後に、撮像素子から得られた撮像信号に基づく画像データを記録するセルフタイマー撮影モードを有するデジタルカメラに関するものである。
【背景技術】
【０００２】
従来より写真カメラやデジタルカメラには、撮影者が被写体として撮影フレームの中に入れるように、シャッターレリーズ操作から一定時間の経過後に撮影を行うセルフタイマー撮影モードが一般に備えられている。また最近では、被写体の顔を検出する顔検出機能を用いて、シャッターレリーズ操作から撮影フレーム内の顔の増加を検出して撮影を行うセルフ撮影モードや、被写体の笑顔を検出して自動で撮影を行う笑顔検出自動撮影機能を備えたデジタルカメラも普及している。しかし、これらのセルフ撮影モードを設定して撮影を行った場合、撮影者がシャッターレリーズ操作を行い、被写体として撮影フレーム内の所望の位置に入る前に撮影が行われてしまうことがある。
【０００３】
特許文献１に記載の方法では、撮影者はセルフタイマー撮影モードをセットすると、ＬＣＤにスルー画像を表示して自分が入り込むエリアを測距領域として設定する。測距領域の設定後、撮影者によってシャッターレリーズ操作が行われると、肌色検出部によって測距領域に対応する画像データが監視される。監視対象の画像データに対して肌色成分の増加が検知されると、測距領域に撮影者が入り込んだと判断され、一定時間の計時が行われる。計時の完了後、監視対象の画像データに基づいて焦点距離が検出され、撮影条件が設定される。撮影処理はこの撮影条件に基づいて実行される。これにより、被写体となった撮影者に対して撮影フレーム内の所望の位置に入った状態で撮影が行うことができる。
【先行技術文献】
【特許文献】
【０００４】
【特許文献１】特開２００５−２７７９０７号公報
【発明の概要】
【発明が解決しようとする課題】
【０００５】
しかしながら、特許文献１に記載の発明の場合、被写体となる撮影者とは別の撮影フレーム内を横切る人物が測距領域に進入することや、撮影フレーム内の遠方にいた人物が至近に向かって移動してくることにより、監視対象の画像データに対して肌色成分の増加が検知され、撮影が行われてしまうといった課題がある。
【課題を解決するための手段】
【０００６】
シャッターレリーズ操作後に所定の遅延処理を行い、この遅延処理の後に、撮像素子から得られた撮像信号に基づいて被写体の画像データを記録するセルフタイマー撮影モードを有するデジタルカメラにおいて、
撮像素子からの撮像信号に基づいて被写体のスルー画像を表示し、撮影者が被写体として入り込む予定のエリアであるシャッターレリーズエリアを設定できる電子ビューファインダと、
撮像素子から得られる撮像信号を監視し、動きベクトルを検出する動きベクトル検出手段と、
シャッターレリーズ操作を検出してから所定の時間経過後に、前記動きベクトル検出手段により検出された動きベクトルが、本デジタルカメラの画角外から画角内の前記シャッターレリーズエリアに向かうベクトルを被写体と判断する被写体判別手段と、
前記被写体判別手段で前記シャッターレリーズエリアに被写体が入ったこをを検出後、撮像素子の前記シャッターレリーズエリアから得られる撮像信号を監視して人物を検知し、起動信号を出力する撮影者検出手段とを備え、
前記撮影者検出手段で撮影者が前記シャッターレリーズエリアに入ったことを検出して撮影を行うことを特徴とするデジタルカメラ。
【発明の効果】
【０００７】
本発明によれば、セルフ撮影モードを有するデジタルカメラにおいて、被写体となった撮影者に対して、高い精度で撮影フレーム内の所望の位置に入った状態で撮影が行うことを可能とする。
【図面の簡単な説明】
【０００８】
【図１】本発明の第１の実施形態を示すブロック図
【図２】第１の実施形態の動作を示すフローチャート
【図３】第１の実施形態でＬＣＤ１８に表示された撮影者がセットした画角のスルー画像
【図４】撮影者が前記シャッターレリーズエリア３０内に入り込んだ状態におけるＬＣＤ１８に表示されたスルー画像
【図５】撮影者が前記撮影者判別エリア３１内に入り込んだ状態におけるＬＣＤ１８に表示されたスルー画像
【図６】前記シャッターレリーズエリア３０を拡大した状態でのＬＣＤ１８に表示されたスルー画像
【図７】第２の実施形態の動作を示すフローチャート
【図８】第２の実施形態でＬＣＤ１８に表示された撮影者がセットした画角のスルー画像
【発明を実施するための形態】
【０００９】
＜第１の実施形態＞
以下、本発明の第１の実施形態に関して説明する。
【００１０】
本発明の第１の実施形態を示すブロック図を図１に示す。
【００１１】
１はズームレンズ、フォーカスレンズおよび絞りと、それらを駆動するドライバ回路を備えたモータおよびアクチュエータで構成される光学ユニット、２は被写体を示す画像光を受光面に結像して光電変換するＣＣＤイメージセンサ、３は前記ＣＣＤイメージセンサ２で光電変換された画素毎の電荷を転送するための撮像信号を出力するＣＣＤドライバ、４は前記ＣＣＤイメージセンサ２から出力された撮像信号を相関二重サンプリング処理によってノイズ除去を行った後に増幅するアンプ、５は撮像信号をデジタル変換して画像データを生成するＡ／Ｄコンバータ、６は入力された画像データに対して、マトリックス演算処理、ホワイトバランス調節、ガンマ処理などの各種画像処理を施す画像データ処理回路、７は前記画像データ処理回路６で処理された画像データを一時的に記憶させるフレームメモリ、８は画像データの圧縮あるいは伸張を行う圧縮伸張処理回路、９は画像ファイルを記録するメモリーカード、１０は前記メモリーカード９に対し、圧縮された画像ファイルの書き込み、あるいは読み込みを行うリードライト回路、１１はフレーム間の画像データ差異から動きベクトルを検出する動きベクトル検出回路、１２は前記動きベクトル検出回路１１により検出された動きベクトルが撮影者か否かを判断する撮影者判別回路、１３は画像データから人物の顔を検出する顔検出回路、１４は前記フレームメモリ７に記憶された測距領域に対応する画像データに基づいて焦点距離を検出するＡＦ回路、１５は前記フレームメモリ７に記憶された測光領域に対応する画像データに基づいて被写体輝度を測定し、この測光値から絞り値、露出時間、図示しないストロボを発光させるか否かの露出条件を演算により求めるＡＥ回路、１６は撮影時のホワイトバランスを自動調整するオートホワイトバランス（ＡＷＢ）回路、１７は電源ボタン、レリーズボタン、モード切替ダイヤルなどからなる操作部、１８は再生モードの際に再生画像を表示する他、撮影モードの際には被写体確認用のスルー画像を表示して電子ビューファインダとしても機能するタッチパネルを備えたＬＣＤ、１９は前記顔検出回路１３が出力する計時開始信号に応答して計時を行うセルフタイマー回路、２０は本発明のデジタルカメラを制御するＣＰＵである。
【００１２】
第１の実施形態の動作を示すフローチャートを図２に示す。以下、フローチャートに従って説明する。
【００１３】
前記操作部１７の電源ボタンが押下され、モード切替ダイヤルでセルフタイマー撮影モードにセットされる（図２中Ｓ１）と、前記ＬＣＤ１８に被写体のスルー画像が表示される（図２中Ｓ２）。前記被写体のスルー画像は以下に示す手順で処理された画像である。
【００１４】
前記ＣＣＤイメージセンサ２は多数の受光素子をマトリックス状に配列することにより光電面が形成されており、前記光学ユニット１で集光された被写体光を光電変換する。前記ＣＣＤイメージセンサ２は前記ＣＣＤドライバ３によって駆動される。前記ＣＣＤイメージセンサ２の電荷蓄積時間（露出時間）は、前記ＣＣＤドライバ３から供給される電子シャッタ駆動信号に応じて決められる。そして、前記ＣＣＤドライバ３から供給される垂直転送クロックおよび水平転送クッロクに同期して、画素毎に蓄積された電荷が１ラインずつシリアルな撮像信号として出力される。前記ＣＣＤイメージセンサ２から出力された撮像信号は、相関二重サンプリング処理によってノイズが除去されるとともに前記アンプ４によって増幅された後、前記Ａ／Ｄコンバータ５に入力される。前記Ａ／Ｄコンバータ５は撮像信号をデジタル変換して画像データを生成し、これを順次に前記画像データ処理回路６に入力する。前記画像データ処理回路６は入力された画像データに対して、マトリックス演算処理、ホワイトバランス調節、ガンマ処理などの各種画像処理を施す。画像処理済みの画像データは、前記フレームメモリ７に一時的に記憶される。この前記フレームメモリ７に記憶された画像データが前記ＬＣＤ１８にスルー画像として表示される。
【００１５】
撮影者は本デジタルカメラを三脚などの安定した場所に設置し、前記ＬＣＤ１８に表示されたスルー画像を確認しながら撮影したい画角をセットすると、撮影者が写り込む位置であるシャッターレリーズエリアの設定を行う（図２中Ｓ３）。
【００１６】
図３に前記ＬＣＤ１８に表示された撮影者がセットした画角のスルー画像を示す。３０は撮影者が写り込む位置であるシャッターレリーズエリア、３１は前記撮影者判別回路１２が動きベクトルの停止から撮影者の有無を判別する撮影者判別エリアである。
【００１７】
前記シャッターレリーズエリア３０の設定は、撮影者が写り込みたい範囲を前記ＬＣＤ１８のタッチパネル上をなぞることで設定できる。また、前記操作部１７により前記シャッターレリーズエリア３０を表示させ、ボタン操作により撮影者が写り込みたい範囲へ前記シャッターレリーズエリア３０を移動あるいは、範囲の拡大縮小を行うことで設定してもよい。前記シャッターレリーズエリア３０の設定が行われると、本発明のデジタルカメラは前記シャッターレリーズエリア３０を包含する予め定められた範囲で前記撮影者判別エリア３１を設定する（図２中Ｓ４）。
【００１８】
前記シャッターレリーズエリア３０を設定後、前記操作部１７のレリーズボタンが押下される（図２中Ｓ５）と、前記動きベクトル検出回路１１は前記画像データ処理回路６から色度データを抽出し、抽出した色度データの時間変化による移動量をサンプリングすることにより前記ＣＣＤイメージセンサ２のフレーム内の動きベクトルを算出する（図２中Ｓ６）。同時に、前記顔検出回路１３は予め人物の顔の形と色、目や鼻などの特徴をデータとして保有しており、前記画像データ処理回路６の画像データと比較することにより、前記ＣＣＤイメージセンサ２のフレーム内の人物の顔を検出する（図２中Ｓ６）。前記撮影者判別回路１２は、前記動きベクトル検出回路１１により検出された前記ＣＣＤイメージセンサ２のフレーム内の動きベクトルから撮影者の判別を行う（図２中Ｓ７）。前記撮影者判別回路１２の撮影者判別方法を以下で説明する。
【００１９】
前記撮影者判別回路１２は、前記操作部１７のレリーズボタンが押下された直後から所定の時間内に検出された動きベクトルは撮影者ではないと判断する。前記撮影者判別回路１２は、前記操作部１７のレリーズボタンが押下された直後から前記所定の時間が経過後に、前記ＣＣＤイメージセンサ２のフレーム外から前記シャッターレリーズエリア３０に向かうベクトルであり、前記撮影者判別エリア３１内で停止したベクトルを撮影者と判断する。
【００２０】
前記撮影者判別回路１２が撮影者を検出すると、前記顔検出回路１３は前記シャッターレリーズエリア３０内の顔を検出する（図２中Ｓ８）。
【００２１】
図４に撮影者が前記シャッターレリーズエリア３０内に入り込んだ状態におけるＬＣＤ１８に表示されたスルー画像を示す。
【００２２】
図４に示すように、前記顔検出回路１３は前記シャッターレリーズエリア３０内に撮影者の顔を検出すると、計時開始信号を出力する。前記ＣＰＵ２０は前記計時開始信号を受けて、前記セルフタイマー回路１９を作動させ、一定時間の計時を行う（図２中Ｓ９）。前記セルフタイマー回路１９が一定時間の計時を完了すると、前記ＡＦ回路１４、前記ＡＥ回路１５および前記ＡＷＢ回路１６は焦点距離、絞り値、露出時間などの撮影条件を演算（図２中Ｓ１０）を行う。撮影条件が全て得られると、前記ＣＰＵ２０は前記撮影条件に基づいて撮影処理を実行し（図２中Ｓ１１）、前記メモリカード９に撮影画像を記録する。
【００２３】
図５に撮影者が前記シャッターレリーズエリア３０内から外れ、前記撮影者判別エリア３１に入り込んだ状態におけるＬＣＤ１８に表示されたスルー画像を示す。
【００２４】
図５に示すように、図２中Ｓ８で前記撮影者判別回路１２が撮影者を検出したにも関わらず、一定時間が経過しても前記顔検出回路１３が撮影者の顔を検出することができなかった場合、前記ＣＰＵ２０は前記シャッターレリーズエリア３０を前記撮影者判別エリア３１の範囲まで拡大する（図２中Ｓ１２）。
【００２５】
図６に前記シャッターレリーズエリア３０を拡大した状態でのＬＣＤ１８に表示されたスルー画像を示す。
【００２６】
図６に示すように、前記シャッターレリーズエリア３０を拡大後、前記顔検出回路１３は前記シャッターレリーズエリア３０内に撮影者の顔を検出すると、計時開始信号を出力し、以下前述の図２中Ｓ９からＳ１１の処理を行う。しかし、図２中Ｓ７で前記操作部１７のレリーズボタンが押下される（図２中Ｓ５）から一定時間が経過しても前記撮影者判別回路１２が撮影者を検出できない場合は、エラーを警告し（図２中Ｓ１３）終了する。
【００２７】
直、本実施形態では前記シャッターレリーズエリア３０と前記撮影者判別エリア３１を異なる範囲として説明したが、同一範囲としてもよい。
【００２８】
以上説明したように本発明の第１の実施形態によれば、セルフ撮影モードを有するデジタルカメラにおいて、被写体となった撮影者に対して、高い精度で撮影フレーム内の所望の位置に入った状態で撮影が行うことを可能とする。
【００２９】
＜第２の実施形態＞
以下、本発明の第２の実施形態に関して説明する。
【００３０】
本発明の第２の実施形態を示すブロック図は前記第１の実施形態と同様のため省略する。
【００３１】
第２の実施形態の動作を示すフローチャートを図７に示す。以下、フローチャートに従って説明する。
【００３２】
図７中Ｓ１〜Ｓ３は前記第１の実施形態と同様である。第２の実施形態では、撮影者が写り込む位置であるシャッターレリーズエリア３０の設定を行った（図７中Ｓ３）後、撮影者が前記シャッターレリーズエリア３０へ向かう移動経路の設定を行う（図７中Ｓ２１）。
【００３３】
図８に前記ＬＣＤ１８に表示された撮影者がセットした画角のスルー画像を示す。３２は撮影者が入力した前記シャッターレリーズエリア３０へ向かう撮影者移動経路である。
【００３４】
前記撮影者移動経路３２は前記シャッターレリーズエリア３０の設定と同様に、撮影者が前記シャッターレリーズエリア３０へ向かって行く予定経路を前記ＬＣＤ１８のタッチパネル上をなぞることで設定できる。前記撮影者移動経路３２の設定が行われると、本発明のデジタルカメラは前記シャッターレリーズエリア３０を包含する予め定められた範囲で前記撮影者判別エリア３１を設定する（図７中Ｓ４）。前記シャッターレリーズエリア３０を設定後、前記操作部１７のレリーズボタンが押下される（図７中Ｓ５）と、前記動きベクトル検出回路１１は前記画像データ処理回路６から色度データを抽出し、抽出した色度データの時間変化による移動量をサンプリングすることにより前記撮影者移動経路３２内の動きベクトルを算出する（図７中Ｓ６）。同時に、前記顔検出回路１３は予め人物の顔の形と色、目や鼻などの特徴をデータとして保有しており、前記画像データ処理回路６の画像データと比較することにより、前記ＣＣＤイメージセンサ２のフレーム内の人物の顔を検出する（図７中Ｓ６）。前記撮影者判別回路１２は、前記動きベクトル検出回路１１により検出された前記撮影者移動経路３２内の動きベクトルから撮影者の判別を行う（図２中Ｓ７）。  前記撮影者判別回路１２の撮影者判別方法を以下で説明する。
【００３５】
前記撮影者判別回路１２は、前記操作部１７のレリーズボタンが押下された直後から所定の時間内に検出された動きベクトルは撮影者ではないと判断する。前記撮影者判別回路１２は、前記操作部１７のレリーズボタンが押下された直後から前記所定の時間が経過後に、前記撮影者移動経路３２枠外から前記シャッターレリーズエリア３０に向かうベクトルであり、前記撮影者判別エリア３１内で停止したベクトルを撮影者と判断する。
【００３６】
以下、図７中Ｓ８〜Ｓ１３は前記第１の実施形態と同様である。
【００３７】
以上説明したように本発明の第２の実施形態によれば、セルフ撮影モードを有するデジタルカメラにおいて、被写体となった撮影者に対して、第１の実施形態よりも高い精度で撮影フレーム内の所望の位置に入った状態で撮影が行うことを可能とする。
【符号の説明】
【００３８】
１・・・光学ユニット
２・・・ＣＣＤイメージセンサ
３・・・ＣＣＤドライバ
４・・・アンプ
５・・・Ａ／Ｄコンバータ
６・・・画像データ処理回路
７・・・フレームメモリ
８・・・圧縮伸張処理回路
９・・・メモリーカード
１０・・・リードライト回路
１１・・・動きベクトル検出回路
１２・・・撮影者判別回路
１３・・・顔検出回路
１４・・・ＡＦ回路
１５・・・ＡＥ回路
１６・・・オートホワイトバランス（ＡＷＢ）回路
１７・・・操作部
１８・・・ＬＣＤ
１９・・・セルフタイマー回路
２０・・・ＣＰＵ
３０・・・シャッターレリーズエリア
３１・・・撮影者判別エリア
３２・・・撮影者移動経路
【図１】
2012124771.tif 000003
【図２】
2012124771.tif 000004
【図３】
2012124771.tif 000005
【図４】
2012124771.tif 000006
【図５】
2012124771.tif 000007
【図６】
2012124771.tif 000008
【図７】
2012124771.tif 000009
【図８】
2012124771.tif 000010